(57)【要約】【課題】  メディアに対する検査順序を柔軟に組み替えることでメディア識別に要する時間を短縮することを目的とする。【解決手段】  あらかじめ光ディスクのメディア種別を識別するための一連の検査の手順をメモリに記憶しておき、次に検査すべき手順を一連の検査の手順に従って読み出し、検査対象の光ディスクに対し読み出した手順に応じた検査を実施し、この検査の結果と一連の検査の手順に従って次に検査する手順を読み出し、これを繰り返すことで検査対象のメディア種別を求め、求めたメディア種別の判別に必要な検査がより優先して検査されるようにメモリに記憶した手順の順序を変更する。【選択図】  図６
2007334985.tif 000002
【特許請求の範囲】
【請求項１】
光ディスクに記録された情報の読み出しあるいは書き込み可能なドライブ装置であって、
前記光ディスクを回転可能に固定し、所定の速度で回転させる駆動手段と、
前記光ディスクからの情報の読み出しあるいは書き込みに使用される光ピックアップの位置及びレーザビームの焦点距離を調整する光ピックアップ制御手段と、
前記光ディスクのメディア種別を判別するメディア種判別手段と、
前記駆動手段及び光ピックアップ制御手段の作動に必要なパラメータと、前記メディア種判別手段が前記光ディスクの識別に必要な検査の手順を記憶するメモリと、
前記メディア種判別手段が判別したメディア種別の結果に基づいて前記駆動手段及び前記光ピックアップ制御手段の作動に必要な前記メモリに記憶したパラメータを読み出してそれぞれに設定するとともに、該判別結果に基づいて前記メモリに記憶した前記手順の順序を入れ替える制御手段と
を具備することを特徴とするドライブ装置。
【請求項２】
前記制御手段は、前記メディア種判別手段によって判別されたメディア種別を判別するのに必要な検査がより優先して検査されるように前記手順の順序を入れ替えることを特徴とする、請求項１に記載のドライブ装置。
【請求項３】
検査の手順ごとに設けられたカウンタ領域を前記メモリ内に備え、
前記制御手段は、ある手順の検査回数に応じてこの手順に対応する前記カウンタ領域の値を増加させ、当該値の大きいカウンタ領域に対応する手順から優先して検査されるように前記手順の順序を入れ替えることを特徴とする、請求項１に記載のドライブ装置。
【請求項４】
光ディスクに記録された情報の読み出しあるいは書き込み可能なドライブ装置を備えた情報処理装置であって、
前記光ディスクを回転可能に固定し、所定の速度で回転させる駆動手段と、
前記光ディスクからの情報の読み出しあるいは書き込みに使用される光ピックアップの位置及びレーザビームの焦点距離を調整する光ピックアップ制御手段と、
前記光ディスクのメディア種別を判別するメディア種判別手段と、
前記駆動手段及び光ピックアップ制御手段の作動に必要なパラメータと、前記メディア種判別手段が前記光ディスクの識別に必要な検査の手順を記憶するメモリと、
前記メディア種判別手段が判別したメディア種別の結果に基づいて前記駆動手段及び前記光ピックアップ制御手段の作動に必要な前記メモリに記憶したパラメータを読み出してそれぞれに設定するとともに、該判別結果に基づいて前記メモリに記憶した前記手順の順序を入れ替える制御手段と
を具備することを特徴とする情報処理装置。
【請求項５】
前記制御手段は、前記メディア種判別手段によって判別されたメディア種別を判別するのに必要な検査がより優先して検査されるように前記手順の順序を入れ替えることを特徴とする、請求項４に記載の情報処理装置。
【請求項６】
検査の手順ごとに設けられたカウンタ領域を前記メモリ内に備え、
前記制御手段は、ある手順の検査回数に応じてこの手順に対応する前記カウンタ領域の値を増加させ、当該値の大きいカウンタ領域に対応する手順から優先して検査されるように前記手順の順序を入れ替えることを特徴とする、請求項４に記載の情報処理装置。
【請求項７】
光ディスクのメディア種別を識別する方法であって、
あらかじめ光ディスクのメディア種別を識別するための一連の検査の手順をメモリに記憶し、
次の検査すべき手順を、前記一連の検査の手順に従って読み出し、
検査対象の光ディスクに対し当該読み出した手順に応じた検査を実施し、
当該検査の結果と前記一連の検査の手順に従って次に検査する手順を読み出し、これを繰り返すことで前記検査対象の光ディスクのメディア種別を求め、
求めたメディア種別の判別に必要な検査がより優先して検査されるように、前記メモリに記憶した前記手順の順序を変更する
ことを特徴とするメディア種識別方法。
【請求項８】
光ディスクのメディア種別を識別する方法であって、
あらかじめ光ディスクのメディア種別を識別するための一連の検査の手順と、それぞれの手順に対応したカウンタ領域をメモリに記憶し、
次の検査すべき手順を、前記一連の検査の手順に従って読み出し、
検査対象の光ディスクに対し当該読み出した手順に応じた検査を実施するとともに、当該検査の手順に対応したカウンタ領域の値を増加させ、
この値の大きいカウンタ領域に対応する手順の検査から優先して検査されるように、前記メモリに記憶した前記手順の順序を変更し、
当該検査の結果と前記一連の検査の手順に従って次に検査する手順を読み出し、これを繰り返すことで前記検査対象の光ディスクのメディア種別を求める
ことを特徴とするメディア種識別方法。
【発明の詳細な説明】
【技術分野】
【０００１】
本発明は、複数種別のメディアをアクセス可能なドライブ装置及びこのドライブ装置を備えた情報処理装置に関し、特にアクセスしようとするメディア種別の識別方法に関する。
【背景技術】
【０００２】
光ディスク等のさまざまなメディア（情報記憶媒体）が開発され、その記憶した情報の用途や使用される状況に応じて使い分けられている。たとえば光を利用して情報の読み出し、あるいは書き込みをするメディアの種別としては、CD-ROM、CD-R、CD-RW、DVD-ROM、DVD-R、DVD+R、DVD-RAMなどがあり、一般家庭においてもこのように複数種別のディスクが普通に利用されている。
【０００３】
ここに挙げたメディアの規格はサイズや厚みなど酷似した外観を採用しているが、中には読み出し／書き込みに必要なレーザビームの出力、光ピックアップの波長、アクセス速度などが異なるものもある。このような理由から手元にあるメディアがたまたまサイズ的に合致したとしても、そのドライブ装置で所定の設定をしてからでないと扱えない種別のメディアも存在する。ある決まった一つのアクセス方法では扱えないメディアが存在するとすれば、使われる可能性のあるすべてのメディアの種別を正確に知るのにいくつかの手順を経なければならない。
【０００４】
しかしながらこれから扱おうとするメディアを換える都度、利用者自身がメディアの種別を知って切り替え操作をする必要があるならば操作が煩雑であるばかりでなく、またメディアに対し間違った操作を実行すれば記憶済みの情報を破壊する可能性もありうる。反面、メディア種別の識別を自動的に行なわせる場合には多種多様なメディアに対応した検査を実施する必要があり、メディア種別によっては識別までに多大な時間を要する場合がある。
【０００５】
この識別作業を簡略化する目的で、光ディスクの種別の識別や不正コピーに対するセキュリティを、光ディスクに無線タグを付けこれに記憶した情報を読み出すことによって実現する光ディスク装置が提案されている（特許文献１を参照）。
【特許文献１】特開２００４−３４２１５０公報
【発明の開示】
【発明が解決しようとする課題】
【０００６】
複数種別のメディアを扱えるドライブ装置であっても、そのメディアをアクセスするためにはまずそのメディアの種別を正確にかつ素早く識別する必要がある。しかしながら扱い対象とするメディア種別が多種多様になればなるほどメディア識別に時間を要す傾向にある。
【０００７】
本発明は上記の問題に鑑みてなされたもので、メディアに対する検査順序を柔軟に組み替えることでメディア識別に要する時間を短縮することを目的とする。
【課題を解決するための手段】
【０００８】
本発明にかかるドライブ装置とすれば、光ディスクに記録された情報の読み出しあるいは書き込み可能なドライブ装置であって、前記光ディスクを回転可能に固定し、所定の速度で回転させる駆動手段と、前記光ディスクからの情報の読み出しあるいは書き込みに使用される光ピックアップの位置及びレーザビームの焦点距離を調整する光ピックアップ制御手段と、前記光ディスクのメディア種別を判別するメディア種判別手段と、前記駆動手段及び光ピックアップ制御手段の作動に必要なパラメータと、前記メディア種判別手段が前記光ディスクの識別に必要な検査の手順を記憶するメモリと、前記メディア種判別手段が判別したメディア種別の結果に基づいて前記駆動手段及び前記光ピックアップ制御手段の作動に必要な前記メモリに記憶したパラメータを読み出してそれぞれに設定するとともに、該判別結果に基づいて前記メモリに記憶した前記手順の順序を入れ替える制御手段とを具備することを特徴とするドライブ装置が提供される。
【０００９】
また、本発明にかかる情報処理装置とすれば、光ディスクに記録された情報の読み出しあるいは書き込み可能なドライブ装置を備えた情報処理装置であって、前記光ディスクを回転可能に固定し、所定の速度で回転させる駆動手段と、前記光ディスクからの情報の読み出しあるいは書き込みに使用される光ピックアップの位置及びレーザビームの焦点距離を調整する光ピックアップ制御手段と、前記光ディスクのメディア種別を判別するメディア種判別手段と、前記駆動手段及び光ピックアップ制御手段の作動に必要なパラメータと、前記メディア種判別手段が前記光ディスクの識別に必要な検査の手順を記憶するメモリと、前記メディア種判別手段が判別したメディア種別の結果に基づいて前記駆動手段及び前記光ピックアップ制御手段の作動に必要な前記メモリに記憶したパラメータを読み出してそれぞれに設定するとともに、該判別結果に基づいて前記メモリに記憶した前記手順の順序を入れ替える制御手段とを具備することを特徴とする情報処理装置が提供される。
【００１０】
また、本発明にかかるメディア種識別方法によれば、光ディスクのメディア種別を識別する方法であって、あらかじめ光ディスクのメディア種別を識別するための一連の検査の手順をメモリに記憶し、次の検査すべき手順を、前記一連の検査の手順に従って読み出し、  検査対象の光ディスクに対し当該読み出した手順に応じた検査を実施し、当該検査の結果と前記一連の検査の手順に従って次に検査する手順を読み出し、これを繰り返すことで前記検査対象の光ディスクのメディア種別を求め、求めたメディア種別の判別に必要な検査がより優先して検査されるように、前記メモリに記憶した前記手順の順序を変更することを特徴とするメディア種識別方法が提供される。
【発明の効果】
【００１１】
本発明の効果として、メディアに対する検査順序を柔軟に組み替えることでメディア識別に要する時間を短縮することができる。
【発明を実施するための最良の形態】
【００１２】
図１は、本実施形態にかかる情報処理装置の一例を示す図が示されている。図１では、本体１００、ドライブ装置１０１、メディア１０２、キーボード１０３及びディスプレイ１０４が示されている。
【００１３】
本体１００は、たとえばPC（Personal Computer）のCPUやメモリ、電源装置及び各種インターフェースなどを格納している。
【００１４】
ドライブ装置１０１は、本体１００に内蔵された複数種別の光ディスクメディアの読み書きが可能なドライブ装置である。ドライブ装置１０１は挿入されたメディアの種別を自身で識別し、そのメディアに合ったピックアップ、光源出力、回転速度など読み書きに必要なパラメータを決定する。
【００１５】
メディア１０２は着脱可能な記憶媒体であり、DVD-RAMのようにレーザ光を用いて情報の読み取り、あるいは書き込みが可能な媒体である。記憶方式にはさまざまな規格があるが、CD（Compact Disk）よりもDVD（Digital Versatile Disk）と呼ばれるメディアの方が記憶容量の大きいものが規格化されている。このためDVD系のメディアは映画等の映像情報の記録保存のために使用されることが多い。
【００１６】
記憶容量の違いは物理的な情報の記憶単位であるピッチの大きさや、メディア上に描かれる円状のトラック幅の違いとなって現れる。またメディア上に情報を記憶する方法も有機色素を用いるものや三次元的な凹凸を設けるものなどがあり、照射したレーザ光の反射率の違いも一様ではない。このような違いのあるメディアを扱うには、ピックアップの光学系を使い分けなければならない場合や、要求されるピックアップのフォーカスやそのポジショニングの精度も異なってくる。
【００１７】
キーボード１０３は本体１００に接続されており、本体１００を中心とした情報処理装置に指示を与えることができる。
【００１８】
ディスプレイ１０４は、CRTやLCD（Liquid Crystal Display）などを表示部として備え、本体１００が出力する映像情報を表示する機能を有する。
【００１９】
図２は、本実施形態にかかる情報処理装置のブロック図の一例を示す図である。図２には、制御部２００、トレイ２０１、駆動部２０２、光ピックアップ制御部２０３、メモリ２０４、インターフェース２０５、CPU２０６、記憶装置２０７及び電源部２０８が示されている。
【００２０】
制御部２００は、ドライブ装置１０１内部に実装され、ドライブ装置１０１に実装されている各部を制御する機能を有している。制御部２００は組み込み型の小型計算機であってあらかじめ組み込まれたプログラムを実行するものでも良いし、半導体で構成された専用集積回路であっても良い。
【００２１】
トレイ２０１は、メディア１０２をドライブ装置１０１内に保持する機能を有している。トレイ２０１はメディア１０２をドライブ装置１０１に抜き差しする際前面にせり出すようになっており、メディア１０２をそこに載のせて引き込むことで確実にメディア１０２をドライブ装置１０１内にマウントすることを可能としている。
【００２２】
駆動部２０２は、トレイ２０１に載せられたメディア１０２の中心穴を保持し、所定の回転速度でメディア１０２を回転させる機能を有する。メディア１０２はその規格に応じて個々に規定された読み出し等の速度が決まっており、駆動部２０２はその回転速度を安定的に維持できるように構成されている。
【００２３】
光ピックアップ制御部２０３は、駆動部２０２によって回転するメディア１０２の記録面上にレーザ光を照射し、その反射光を捕らえることでメディア１０２に記録された情報を読み取り、あるいは書き込む機能を有する。情報はメディア１０２の回転方向に沿って記録面に刻まれた溝（トラック）に沿って記録される。このトラックに記憶された情報を正確に読み出すには、記録面上に同心円状に並ぶトラックの一つに正確にフォーカスする必要がある。光ピックアップ制御部２０３は高速に回転するメディア１０２上のトラックを追従するように光ピックアップのフォーカスを制御する。
【００２４】
メモリ２０４は、制御部２００が各部を制御するときの一時的に使用する作業域や、メディア１０２の種別に応じた、これをアクセスするのに必要なパラメータを記憶しておくために使用される。このパラメータには、たとえばレーザービームの波長、回転速度、ビームの照射時間及びトラックピッチといった値が考えられる。制御部２００の機能がプログラムによって記述されている場合には、このプログラムが記憶されていても良い。
【００２５】
インターフェース２０５は、ドライブ装置１０１と他の機器が情報を入出力するために設けられている。ドライブ装置１０１はATAPI（AT Attachment Packet Interface）、SCSI（Small Computer System Interface）といった内蔵デバイス向けに規格化されたポートを備えていることが多いが、これを直接理解できない他の情報機器で読み書きする場合には所定のインターフェースが必要となる。
【００２６】
CPU２０６は、ドライブ装置１０１が格納された本体１００全体を制御する演算装置である。インターフェース２０５を介して、メディア１０２に記録された情報にアクセスすることができる。
【００２７】
記憶装置２０７は、たとえば磁気ディスク装置のような記憶装置を指す。これには本体１００が実行するプログラムやデータベースなどのファイルを記憶している。
【００２８】
電源部２０８は、ドライブ装置１０１及び本体１００に電力を供給する機能を有する。乾電池、二次電池あるいは商用電源を電力源として各部に必要な電力を供給する。
【００２９】
図３は、本実施形態にかかるドライブ装置１０１の検査フローの一例を示す図である。このドライブ装置１０１は複数種別の光ディスクのようなメディアを扱うことができるが、メディアの規格によってはアクセス方法が異なる場合がある。このような状況から、利用者によりトレイ２０１に載せられドライブ装置１０１内にマウントされたメディアの種別を求めアクセス方法を特定する必要がある。
【００３０】
メディアの種別の特定に際し、マウントされているメディアの一部に全ての種別を特定する情報が、どのドライブ装置でも読めるような形式で格納されているわけではない。メディアの一部を読み出す場合であっても、記録方法の違いからたとえばいくつかのレーザ光を順次使い分けて検査しなければならない場合も考えられる。
【００３１】
このメディアの種別を求めるための検査フローの例を、図３に従って説明する。フローに示す各ノードはメディア種別の特定過程の状況を表している。このとき、各ノードにはその個々に対応付けられたカウンタがそれぞれ設けられており、あるノードの状況に至るたびにそのノードに対応付けられたカウンタが加算されてゆく。図中、各ノードに記載される鍵括弧内の数値はこのカウンタの値を示したものである。
【００３２】
最初に「1. CD/DVD/HD DVD」と記載されたノードが示す状況になる。以降、各ノードの先頭に記載された数字（ここでは“１”）を用いて、ノード＜１＞と記載する。またノード１は、これより上位にはノード（節）が存在しないためルート（根）と呼ぶ場合もある。
【００３３】
ノード＜１＞の状況では、ドライブ装置１０１にマウントされたメディアがいずれの種別のものであるかは分からない。
【００３４】
メディアの検査に際しては、種別を直接判別できる検査手法がない以上、種別の特定に必要な検査を順次実施する必要がある。本実施形態の検査フローでは、フローのより左に出現するノードの状況あるいは種別を判定するための検査から優先的に実施するものとする。図３の例では、マウントされたメディアがCD系のものかどうかを最初に検査し、その後DVD（HD DVD含む）系のものかを検査する。このときCD系と判定されればノード＜２＞の示す状況に移行する。そしてその後、読み出し専用のROMなのかを検査し、違うのであれば書き込みも可能なWritable系なのかを検査あるいは断定する。このとき、ROMと判定されればノード＜４＞に、Writable系ならばノード＜５＞に移行する。このように検査フローはその順序に従って検査しながら、ノードが下位に移行するに連れてメディアの種別が限られるように構成されており、最終的にはそのメディアの種別が判明する。図中では最終的なメディアの種別を示す状況のノードを楕円で示した。このノードはさらにメディアの検査が必要なノードと区別するため、リーフ（葉）と呼ぶ場合がある。
【００３５】
図４は、本実施形態にかかるドライブ装置１０１の、ある種別のメディアが識別されたときの例を示す図である。
【００３６】
まずノード＜１＞が示す状況になり、このノードに対応するカウンタの値が１加算されて“１”となる。このメディアがCD系であるかどうかの検査を受けた後、DVD（HD DVD含む）系と判定され、検査の状況がノード＜３＞が示す状況に移行した。次にこのメディアがDVD系であるかHD DVD系であるかを検査する。DVD系かどうかの検査がまず実施され、これがDVD系と判定されたためノード＜６＞へと移行した。次にそれがROM系かWritable系かが判定され、DVD-RなどのWritable系であることが判明しノード＜９＞に移行した。
【００３７】
その後、これがいずれの種別のWritableなメディアであるかを判定し、R系であることが分かったためノード＜１２＞に移行した。R系には複数の種別が存在するため、さらに検査を進めDVD-Rであることを特定し、ノード＜１５＞に至った。しかしながらDVD-Rには記録面が一層のものと二層のものが存在するため、これがどちらであるかを検査し、最終的にノード＜１８＞の示す状況に至った。このときノード＜１８＞はリーフであるからこれ以上の検査をすることなく、このメディアは二層式のDVD-Rであることが確定する。この検査の過程で通過したノード、つまりノード＜３＞＜６＞＜９＞＜１２＞＜１５＞＜１８＞に対応するカウンタはノード＜１＞と同様に１加算されていることに留意する必要がある。
【００３８】
図５は、本実施形態にかかるドライブ装置１０１の検査フローの別の一例を示す図であり、図４で示すような検査実績に基づいて変形したものである。図５と図４との相違は、各ノードでの分岐の候補には変更がないものの、左側から見たときの出現順序が異なっている。たとえば、図４に示す検査の過程で通過したノード＜３＞＜６＞＜９＞＜１２＞＜１５＞＜１８＞が左にそろえられている。これは同様の階層に位置するノードと比べて、個々のノードに対応するカウンタの値の大きい順に左から並び替えたものに他ならない。以降、通常の使用下で他のメディアも含めドライブ装置１０１にマウントを繰り返すうちにマウントされるメディア種別に至るノードに対応するカウンタがより多く加算される。この結果、マウントされる頻度の高いメディア種別を判別するのに必要なノードほど左側からみて出現順が早くなる。
【００３９】
図６は、本実施形態にかかるドライブ装置１０１の検査フローの別の一例を示す図である。図６では図５の状態になってからさらに別のメディアがマウントされた後の検査フローの状態を示している。この例では、二層のDVD-ROMが２回マウントされた後の状態を示しており、ノード＜１＞＜３＞＜６＞＜８＞＜１１＞のカウンタ値がそれぞれ２増加している。この結果、具体的にはノード＜９＞とノード＜８＞の順位が入れ替わり、ノード＜８＞の方がより左側に位置していることが分かる。この時点では二層のDVD-ROMが最もマウントされた頻度が高いことから、以後もこのメディア種別のメディアがマウントされる可能性が高いと考えられる。
【００４０】
前述したように、本実施形態の検査フローでは、フローのより左に出現するノードの状況あるいは種別を判定するための検査から優先的に実施する。このことからマウントされる頻度の高いメディアの検査フローのノードほど優先的に到達でき、一方、頻度の低いメディアを判別するための検査を省略することができる。よって頻度の高いメディアがマウントされたときほど迅速にメディア種別の検査に要する時間が短縮され、全体的にみてもメディア種別の検査時間の短縮が見込まれる。
【００４１】
図７は、本実施形態にかかるドライブ装置１０１のメディア識別フローの一例を示す図である。
【００４２】
まず、メディア種別の検査過程における現在の判定の状態にあたるノードに対応するカウンタをインクリメントする（ステップＳ０１）。つぎにそのノードがメディア種別を確定するノード（リーフ）ではなく、まだメディア識別に必要な検査があるか否かを判定する（ステップＳ０２）。このとき、そのノードがリーフであればすでにこのメディアの種別は確定されたことになるので識別フローを終了する。
【００４３】
さらなる検査が必要である場合（ステップＳ０２でＹｅｓ判定）、そのノードの状況で行なうべき、下位のノードへの分岐をするのに必要な検査を実施する（ステップＳ０３）。その後、検査の結果判明した分岐すべき下位のノードに移動する（ステップＳ０４）。
【００４４】
図８は、本実施形態にかかるドライブ装置１０１の、検査フローに関する最適化フローの一例を示す図である。
【００４５】
このフローは、ある時点の検査フローのルートに相当するノードから同フローを実施する。ルートを基点とし、そのときにターゲットとするノードにおいて、その直接下位に連なるノード（以降、子ノードに同じ）が存在するか否かを調べる（ステップＳ０５）。子ノードが存在する場合（Ｙｅｓ）、その子ノード全てのカウント値を求め、値の大きいものから順に検査フローの左側に配置する（ステップＳ０６）。
【００４６】
次に子ノードのうち、その子ノードのさらに下位のノードの並び替えを行なっていない子ノードがあるか否かを調べる（ステップＳ０７）。該当する子ノードがある場合（Ｙｅｓ）には、その並び替え処理をしていない子ノードのうちの最も左側に位置するノードに移行する（ステップＳ０８）。このとき検査フローのターゲットとなるノードの階層は一つ下位に移動する。移動後は、そのノードを基準としてみたときの子ノードがあるか否かを判定（ステップＳ０５）するところから一連の処理を繰り返す。
【００４７】
ステップＳ０５で子ノードが存在しない場合（Ｎｏ）及びステップＳ０７でターゲットとなるノードについての子ノード全ての並び替えが終了した場合（Ｎｏ）、ターゲットとなるノードがルートか否かを判定する（ステップＳ０９）。ルートであるならば（Ｙｅｓ）すべてのノードの並び替えが終了したことになるため、最適化フローを終了する。
【００４８】
ステップＳ０９でターゲットとなるノードがルート以外の場合（Ｎｏ）には並び替えを行なっていないノードが存在する可能性があるため、ステップＳ０８とは逆に一つ上位のノードに復帰する（ステップＳ１０）。その後、ステップＳ０７より最適化フローを再開することで、並び替えを行なっていない子ノードの下位のノードに対しても並び替えを継続する。
【００４９】
このように構成することにより、メディア識別に要する時間を短縮することができる。
【００５０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５１】
【図１】本実施形態にかかる情報処理装置の一例を示す図である。
【図２】本実施形態にかかる情報処理装置のブロック図の一例を示す図である。
【図３】本実施形態にかかるドライブ装置の検査フローの一例を示す図である。
【図４】本実施形態にかかるドライブ装置の１の種別のメディアが識別されたときの例を示す図である。
【図５】本実施形態にかかるドライブ装置の検査フローの別の一例を示す図である。
【図６】本実施形態にかかるドライブ装置の検査フローの別の一例を示す図である。
【図７】本実施形態にかかるドライブ装置のメディア識別フローの一例を示す図である。
【図８】本実施形態にかかるドライブ装置の最適化フローの一例を示す図である。
【符号の説明】
【００５２】
１００・・・本体、１０１・・・ドライブ装置、１０２・・・メディア、１０３・・・キーボード、１０４・・・ディスプレイ、２００・・・制御部、２０１・・・トレイ、２０２・・・駆動部、２０３・・・光ピックアップ制御部、２０４・・・メモリ、２０５・・・インターフェース、２０６・・・ＣＰＵ、２０７・・・記憶装置、２０８・・・電源部
【図１】
2007334985.tif 000003
【図２】
2007334985.tif 000004
【図３】
2007334985.tif 000005
【図４】
2007334985.tif 000006
【図５】
2007334985.tif 000007
【図６】
2007334985.tif 000008
【図７】
2007334985.tif 000009
【図８】
2007334985.tif 000010